(57)【要約】【課題】通気性を有する素材から成って人の口と鼻とを覆う覆い部と、その覆い部の両側部から延び出した装着部とを含む衛生マスクを改善する。【解決手段】  左右方向に延びる１つの箱ヒダ２６とそれの上下に形成された１つずつの車ヒダ２８，３０とを有する覆い部１０と、装着部とを含む衛生マスクにおいて、装着部を、覆い部１０の両上端隅部の一方から延び出し、両上端隅部の他方に帰る１つの頭掛け部１４と、覆い部１０の両側端部の各々からそれぞれ側方に延び出し、それぞれ人の耳に掛けられる１対の耳掛け部１２とを含むものとし、それら頭掛け部１４と耳掛け部１２とを共に弾性変形により伸縮可能な紐状の素材から成るものとする。頭掛け部１４を後頭部に掛け、１対の耳掛け部１２を両耳に掛けて使用することにより、安定な装着状態が得られる。【選択図】図１
2015002807.tif 000002
【特許請求の範囲】
【請求項１】
通気性を有する素材から成って人の口と鼻とを覆う覆い部と、その覆い部の両側部から延び出した装着部とを含む衛生マスクであって、
前記装着部が、
前記覆い部の両上端隅部の一方から延び出し、両上端隅部の他方に帰る１つの頭掛け部と、
前記覆い部の両側端部の各々からそれぞれ側方に延び出し、それぞれ人の耳に掛けられる一対の耳掛け部と
を含み、前記頭掛け部と前記耳掛け部とが弾性変形により伸縮可能な素材から成ることを特徴とする衛生マスク。
【請求項２】
前記覆い部の全体が、前記通気性を有する素材が同じ数の複数枚重ね合わされることにより形成されたことを特徴とする請求項１に記載の衛生マスク。
【請求項３】
前記覆い部が、左右方向に延びる複数のヒダが形成されたヒダ形成部を含む請求項１または２に記載の衛生マスク。
【請求項４】
前記複数のヒダが、前記覆い部の上下方向の中間部に箱ヒダが形成され、その箱ヒダの上方に形成された上向きのヒダと下方に形成された下向きのヒダとの少なくとも一方を含む請求項３に記載の衛生マスク。
【請求項５】
前記覆い部の上端縁に沿って、塑性変形可能な塑性変形可能部材が配設された請求項１ないし４のいずれかに記載の衛生マスク。
【請求項６】
前記覆い部と前記装着部とが乳幼児に適した寸法を有し、乳幼児用として構成された請求項１ないし５のいずれかに記載の衛生マスク。
【発明の詳細な説明】
【技術分野】
【０００１】
本発明は、花粉，ほこり，ＰＭ２．５等の吸引防止、風邪の感染防止等の目的で使用される衛生マスク(以下、マスクと略称する）に関するものである。
【背景技術】
【０００２】
マスクには、下記の特許文献１に記載されているように、覆い部と、覆い部の両側部から延び出す一対の耳掛け部とを含み、覆い部によって装着者である人の口および鼻を覆い、耳掛け部が耳に掛けられて使用されるものがある。
【先行技術文献】
【特許文献】
【０００３】
【特許文献１】特開２０１０−５１３８８号公報
【発明の概要】
【発明が解決しようとする課題】
【０００４】
しかし、衛生マスクが一対の耳掛け部によって装着するものである場合には、覆い部が顔の表面に十分良好に密着しない、あるいは使い勝手が悪い場合がある。その端的な例が乳幼児である。乳幼児は、耳が成人に比較して小さく、かつ、軟らかい上、ベッド上等で活発に身動きするため、覆い部が安定に顔表面に密着し続けにくく、甚だしい場合には外れてしまうこともある。
そこで、本願発明の発明者は、手術を行う外科医等に使用されている手術用マスクの構成を利用することを考えた。しかし、後頭部において縛る紐を使用するタイプは、乳幼児用としては不向きであると考え、頭部に装着するための２つの紐として伸縮性を有するものの使用を試みた。しかし、上下同じ長さの２つの伸縮紐を使用したところ、下側の紐が長過ぎて覆い部の下部が顔に密着せず、かといって下側の紐を十分短くすればその紐は後頭部を通過させることができないことが判明した。乳幼児は、うなじに比較して後頭部が大きく突出しているのが普通であるため、この傾向が特に顕著である。
本発明は、主として乳幼児における上記問題を解決することを課題として為されたものである。
【課題を解決するための手段】
【０００５】
上記の課題は、通気性を有する素材から成って人の口と鼻とを覆う覆い部と、その覆い部の両側部から延び出した装着部とを含む衛生マスクにおいて、装着部を、(a)覆い部の両上端隅部の一方から延び出し、両上端隅部の他方に帰る１つの頭掛け部と、(b)前記覆い部の両側端部の各々からそれぞれ側方に延び出し、それぞれ人の耳に掛けられる一対の耳掛け部とを含むものとするとともに、頭掛け部と耳掛け部とを弾性変形により伸縮可能な素材から成るものとすることにより解決される。
【発明の効果】
【０００６】
上記構成の衛生マスクは、頭掛け部を後頭部に掛けるとともに、一対の耳掛け部を両耳に掛けて使用される。このようにすれば、一対の耳掛け部のみで装着する場合に比較して装着状態が安定し、しかも、２つの頭掛け部を使用する場合のように、上側と下側との頭頭掛け部の適切な長さが違い過ぎることによる問題の発生も回避し得る。
なお、本衛生マスクは上記のように、主として乳幼児用として発明されたものであるが、完成された衛生マスクは必ずしも乳幼児用に限定されるわけではない。少年，少女は勿論、成人が使用しても、使い勝手の良さや装着安定性向上の効果は享受できるのである。
【図面の簡単な説明】
【０００７】
【図１】本発明の一実施形態である衛生マスクを示す正面図である。
【図２】上記マスクを示す背面図である。
【図３】上記マスクの使用状態を示す側面図である。
【図４】上記マスクの覆い部の縦断面を概念的に示す図である。
【発明を実施するための形態】
【０００８】
以下、本発明の一実施形態を、図を参照しつつ詳しく説明する。なお、本発明は、下記実施形態の他、当業者の知識に基づいて種々の変更を施した態様で実施することができる。
【０００９】
図１ないし図３に、本発明の一実施形態としての衛生マスクを示す。本衛生マスクは、図１に示すように、装着者の口，鼻およびそれらの周辺を覆う覆い部１０と、その覆い部１０の両側部から延び出して耳に掛けられる２つの耳掛け部１２と、覆い部１０の両上端隅部の一方から延び出し、両上端隅部の他方に帰る１つの頭掛け部１４を含む。覆い部１０は、それぞれ通気性を有するシートが複数枚、本衛生マスクでは３枚のシートが重ね合わされて通気性を有する素材から成る。３枚のシートは、熱可塑性合成繊維から成る不織布であるが、これらのうち、真中のシートは、０．１〜０．３の微粒子を９５％以上除去でき、米国ＮＩＯＳＨのＮ９５規格を満たすフィルタシートであり、外側および内側の各１枚ずつのカバーシートにより挟まれている。
【００１０】
覆い部１０はヒダ形成部２４を含む。ヒダ形成部２４は、図４に概念的に示すように、覆い部１０の高さ方向の中央部分に設けられ、横方向に延びる複数のヒダ、本マスクでは１つの箱ヒダ２６および２つの車ヒダ２８，３０を含む。箱ヒダ２６は、互いに隣接する上向きのヒダ３２および下向きのヒダ３４を含む。箱ヒダ２６のヒダ３２，３４および車ヒダ２８，３０はそれぞれ、山折り部と谷折り部とを１つずつ含み、図３に各ヒダの符号にａ，ｂ，ｃを付して示すように、側壁を３つずつ含む。上向きのヒダは谷折り部が上方へ開かれたヒダであり、下向きのヒダは谷折り部が下方へ開かれたヒダである。
【００１１】
車ヒダ２８は、ヒダ３２の上側に隣接して、ヒダ３２と同じ向きに形成され、車ヒダ３０は、ヒダ３４の下側に隣接して、ヒダ３４と同じ向きに形成されており、ヒダ形成部２４には、上向きのヒダおよび下向きのヒダが上下対称に形成されている。車ヒダ２８，３０はそれぞれ、ヒダ１つのみの限界的な車ヒダと考えることもでき、隣接する箱ヒダ２６のヒダ３２，３４と共に車ヒダを形成すると考えることもできる。
【００１２】
箱ヒダ２６のヒダ３２，３４および車ヒダ２８，３０はそれぞれ、各両端部において３つの側壁同士が加圧および加熱により溶着され、図１に示すように、上下方向に連続し、伸びない側縁部３８とされている。なお、図４では、図示の都合上、ヒダ２８，３０，３２，３４のうち、隣接するヒダの間に隙間があるように示されているが、実際にはヒダ２８，３０，３２，３４は隣接するヒダ同士が重ならず、間に隙間もないように形成される。形成の都合上、隣接するヒダの一部が僅かに重なったり、隙間が生じることはある。上記３つの側壁同士の溶着は、図１，図２に示すように、点状の溶着部である溶着点３５が等間隔にかつ１列に形成されて、それら溶着点３５の列により１本の接合線３６が形成されている。箱ヒダ２６は、覆い部１０の上下方向の中間部（図示の例では中央）に形成されている。
【００１３】
覆い部１０は前述のように３枚のシートから成っているが、一番内側、すなわち顔の肌に接するシートの上下方向の寸法が他の２枚のシートより大きくされ、それら２枚のより上下に突出した上端部および下端部がそれぞれ外側へ折り返されて、２枚のシートの上端部および下端部を覆う折返し部４０，４２とされており、溶着点４６の１本ずつの列から成る各接合線５０，５２により、一番内側のシート自体を含む前記３枚のシートと接合されている。上側の接合線５０に平行にもう１本の接合線５４が形成され、その結果、折返し部４０と３枚のシートとの間には筒状の空間が形成されており、その空間の塑性変形可能部材５８が配設されている。塑性変形可能部材５８は、覆い部１０の左右方向の寸法より短い長さの帯状を成し、例えば、添加物が添加されたポリエチレン等、塑性変形可能な公知の材料から成る長手形状の扁平な部材である。図５に示す装着状態において、鼻梁の両側面に沿う形状に塑性変形させられることにより、鼻の両脇に生じる隙間を埋めて外気の侵入を防止するとともに、鼻に係合して覆い部１０の上端部が下方へ移動することを防止する機能を果たす。
【００１４】
覆い部１０には、２種類の装着部が取り付けられている。その１種類は、覆い部１０の両上端隅部の一方から延び出し、両上端隅部の他方に帰る頭掛け部１４であり、もう１種類は、覆い部１０の両側端部の各々からそれぞれ側方に延び出し、それぞれ人の耳に掛けられる一対の耳掛け部１２である。これら頭掛け部１４と耳掛け部１２とは共に弾性変形により伸縮可能な紐状の素材から成る。
【００１５】
本マスクは、予め、覆い部１０の左右方向の中央部を上下いっぱいに延ばして外向きに凸の三次元形状に膨らませた状態としてから装着することが推奨される。この膨らませた状態では、覆い部１０の中央の膨らみに沿った長さが、側縁部３２の長さのほぼ２倍となる。この状態で、頭掛け部１４が後頭部に掛けられるとともに、１対の耳掛け部１２が両耳に掛けられる。その後、覆い部１０の中央部の上端部を上方に引き上げるとともに、塑性変形可能部材５８を鼻梁の側面に沿った形状に塑性変形させ、下端部を下方に引き下げれば、塑性変形可能部材５８に対応する部分が鼻の表面に密着する一方、下端部が顎に掛かり、上端部の下方へのずれと、下端部の上方へのずれが防止されるとともに、覆い部１０の全周縁部が顔の肌に密着する一方、覆い部１０の中央部は鼻や口から十分に隔たり、十分な空間が形成される。
【００１６】
この装着状態は、１対の耳掛け部のみによる装着状態に比較して安定しているため、本実施形態のマスクを乳幼児に装着し、その乳幼児がベッド上等でかなり活発に動いても、外れたり、ずれたりすることが良好に防止される。
【符号の説明】
【００１７】
１０：覆い部    １２：耳掛け部    １４：頭掛け部    ２４：ヒダ形成部    ２６：箱ヒダ    ２８，３０：車ヒダ    ３６：接合線    ４０：折返し部    ５０，５２，５４：接合線    ５８：塑性変形可能部材
【図１】
2015002807.tif 000003
【図２】
2015002807.tif 000004
【図３】
2015002807.tif 000005
【図４】
2015002807.tif 000006